(57)【要約】【課題】冷蔵庫のドア開放警告制御装置に関し、冷蔵室ドアが大きく開かれていれば冷気が庫外に多く流れていると判断し、冷蔵室の温度上昇が始まる前に警告することを目的とする。【解決手段】ドア開閉角度検知手段１４と、ドア開閉角度判定手段１５と、警告音インターバル時間設定手段１６から構成され、ドア開閉角度検知手段１４で検知したドア開閉角度をドア開閉角度判定手段１５がドアが大きく開かれていると判断すれば、警告音インターバル時間設定１６で警告音インターバル時間を短くすることで、冷蔵室の温度上昇が始まる前に適切に警告できる。【選択図】図１
2005172301.tif 000002
【特許請求の範囲】
【請求項１】
ヒンジ式ドア開閉角度検知手段と、前記ドア開閉角度検知手段で検知したドア開閉角度により警告音インターバル時間を設定する警告音インターバル時間設定手段と、警告音インターバルタイマと、ドア開放を警告するドア開放警告駆動手段とを備えた冷蔵庫において、前記ドア開閉角度検知手段がドア開閉角度を検知し、ドア開閉角度により前記警告音インターバル時間設定手段が警告音インターバル時間を設定し、前記インターバルタイマで所定時間後ドア開閉を再度確認し、ドアが開いていれば前記ドア開放警告駆動手段によりドア開放を警告するとともに、ドアの開放角度により、ドア開放警告音のインターバル時間を変化させることを特徴とする冷蔵庫。
【請求項２】
外気温度検知手段を備え、ドアの開閉角度と外気温により前記警告音インターバル時間設定手段が警告音インターバル時間を設定することを特徴とする請求項１に記載の冷蔵庫。
【発明の詳細な説明】
【技術分野】
【０００１】
本発明は、冷蔵庫のドア開放警告に使用する制御装置に関するものである。
【背景技術】
【０００２】
近年の大型冷蔵庫のほとんどに、ドア開放警告制御装置が採用されている。その警告制御での警告音は、ドア開放直後から鳴るのではなくインターバル時間を経過した後から鳴る仕様である。（例えば、特許文献１参照）
以下、図面を参照しながら上記従来のドア開放警告御装置付き冷蔵庫を説明する。
【０００３】
図５は、従来のドア開放警告制御装置付き冷蔵庫のブロック図である。図５に示すように、冷蔵庫本体１にある冷蔵室２は、断熱壁３と冷蔵室ドア４で区画形成されている。前記冷蔵室ドア４は、ヒンジ５により前記冷蔵庫本体１に固定されている。６はドアスイッチ７よりドアの開放を検知するドア開放検知手段である。８は前記ドア開放検知手段６よりドアが開放されているかを判断するドア開放判定手段である。９は警告音インターバルタイマでタイムアップも判断する。１０はブザー１１を駆動するドア開放警告音駆動手段でる。１２は前記ドア開放駆動音駆動手段１０が動き出したときから時間をカウントする警告音タイマで、タイムアップも判断する。
【０００４】
以上のように構成されたドア開放警告制御装置付き冷蔵庫について、以下その動作を説明する。
【０００５】
まず、ステップ１でドア開放検知手段６がドアスイッチ７よりドア状態を検出する。次に、ステップ２でドア開放判定手段８が検出したドア状態（開又は閉）を判断し、開であればステップ３で警告音インターバルタイマをスタートさせステップ４に進み、閉であればステップ１に戻る。ステップ４で警告音インターバルタイマのタイムアップ(例えば３分)を判断し、タイムアップすればステップ５に進む。ステップ５で、再びドア開放検知手段６がドアスイッチ７よりドア状態を検出し、ステップ６でドア開放判定手段８が検出したドア状態（開又は閉）を判断し、開であればステップ７で警告音タイマ１２をスタートし、ステップ８で警告音駆動手段１０がブザー１１を駆動させ警告音を鳴らしステップ９に進む。しかし、ドアが閉であればステップ１に戻る。ステップ９で警告音タイマ１２のタイムアップ（例えば３秒）を判断し、タイムアップすればステップ１０で警告音駆動手段１０がブザー１１を停止させ、ステップ３に戻る。このサイクルを繰り返しドア開放警告制御を行っている。
【特許文献１】特開昭５９−８１４７７号公報
【発明の開示】
【発明が解決しようとする課題】
【０００６】
しかしながら、上記従来の構成では、冷蔵室ドア４が大きく開かれて冷気が多く庫外に流れ出ても警告音インターバル時間（例えば３分）が固定されているので、冷蔵室２の温度上昇が始まった後から警告する。すなわち、食品に影響を与えてから警告するという欠点があった。
本発明は上記の課題を解決するもので、冷蔵室ドアが大きく開かれていれば冷気が庫外に多く流れていると判断し警告する、すなわち、冷蔵室の温度上昇が始まる前に警告する冷蔵庫を提供することを目的とする。
【課題を解決するための手段】
【０００７】
上記課題を解決するため、本発明の冷蔵庫は、ヒンジ式ドア開閉角度検知手段と、前記ドア開閉角度検知手段で検知したドア開閉角度により警告音インターバル時間を設定する警告音インターバル時間設定手段と、警告音インターバルタイマと、ドア開放を警告するドア開放警告駆動手段とを備えた冷蔵庫において、前記ドア開閉角度検知手段がドア開閉角度を検知し、ドア開閉角度により前記警告音インターバル時間設定手段が警告音インターバル時間を設定し、前記インターバルタイマで所定時間後ドア開閉を再度確認し、ドアが開いていれば前記ドア開放警告駆動手段によりドア開放を警告するとともに、ドアの開放角度により、ドア開放警告音のインターバル時間を変化させるものであり、適切なドア開放警告音のインターバル時間が設定できる。
【発明の効果】
【０００８】
本発明の冷蔵庫によれば、ヒンジ式ドア開閉角度検知手段と、前記ドア開閉角度検知手段で検知したドア開閉角度により警告音インターバル時間を設定する警告音インターバル時間設定手段と、警告音インターバルタイマと、ドア開放を警告するドア開放警告駆動手段とを備えた冷蔵庫において、前記ドア開閉角度検知手段がドア開閉角度を検知し、ドア開閉角度により前記警告音インターバル時間設定手段が警告音インターバル時間を設定し、前記インターバルタイマで所定時間後ドア開閉を再度確認し、ドアが開いていれば前記ドア開放警告駆動手段によりドア開放を警告するとともに、ドアの開放角度により、ドア開放警告音のインターバル時間を変化させるものであり、適切なドア開放警告音のインターバル時間が設定でき、食品への温度上昇の影響を抑えることができる。
【発明を実施するための最良の形態】
【０００９】
請求項１に記載の冷蔵庫の発明は、ヒンジ式ドア開閉角度検知手段と、前記ドア開閉角度検知手段で検知したドア開閉角度により警告音インターバル時間を設定する警告音インターバル時間設定手段と、警告音インターバルタイマと、ドア開放を警告するドア開放警告駆動手段とを備えた冷蔵庫において、前記ドア開閉角度検知手段がドア開閉角度を検知し、ドア開閉角度により前記警告音インターバル時間設定手段が警告音インターバル時間を設定し、前記インターバルタイマで所定時間後ドア開閉を再度確認し、ドアが開いていれば前記ドア開放警告駆動手段によりドア開放を警告するとともに、ドアの開放角度により、ドア開放警告音のインターバル時間を変化させるものであり、適切なドア開放警告音のインターバル時間が設定できる。
【００１０】
請求項２に記載の発明は、請求項１に記載の発明において、外気温度検知手段を備え、ドアの開閉角度と外気温により前記警告音インターバル時間設定手段が警告音インターバル時間を設定するものであり、さらに適切なドア開放警告音のインターバル時間が設定できる。
【００１１】
以下、本発明の実施の形態について、図面を参照しながら説明する。なお、従来と同一構成については、同一符号を付して詳細な説明を省略する。また、この実施の形態によってこの発明が限定されるものではない。
【００１２】
（実施の形態１）
図１は、本発明の実施の形態１によるドア開放警告制御装置付き冷蔵庫のブロック図である。図２は、同実施の形態の動作を示すフローチャートである。
【００１３】
図１において、１３はヒンジ５に設置してあるドア開閉角度ボリュームでボリューム角度により出力される信号が変化する(例えば、角度０°＝０Ｖ、４５°＝２．５Ｖ  ９０°＝５Ｖ)ものである。１４はドア開閉角度ボリューム１３よりドア開閉角度を検知するドア開閉角度検知手段である。１５は前記ドア開閉角度検知手段１４よりドアの開閉角度を判断するドア開放判定手段である。１６は警告音インターバル時間設定手段であらかじめ設定されているインターバル時間を設定する。
【００１４】
以上のように構成されたドア開放警告制御装置について、以下その動作を説明する。
【００１５】
まず、ステップ１０１でドア開閉検知手段１４がドア開閉角度ボリューム１３よりドア開閉角度を検出する。次に、ステップ１０２でドア開閉判定手段１５が検出したドア開閉角度が０°（閉）であるかを判断し、０°であればステップ１０１に戻り、０°でなければ開放されていると判断しステップ１０３に進む。ステップ１０３でドア開閉判定手段１５が検出したドア開閉角度が４５°以上であるかを判断し、４５°以上であればドアが大きく開かれていると判断しステップ１０４で警告音インターバル時間設定手段１６が警告音インターバル時間を２分に設定し、４５°未満であればステップ１０５で警告音インターバル時間設定手段１６が警告音インターバル時間を３分設定しステップ３に進む。ステップ３とステップ４は従来通りである。次に、ステップ１０６で、再びドア開閉角度検知手段１４がドア開閉角度ボリューム１３よりドア開閉角度を検出し、ステップ１０７でドア開閉判定手段１５が検出したドア開閉角度が０°（閉）であるかを判断し、０°であればステップ１０１に戻り、０°でなければ開放されていると判断しステップ８に進む。ステップ８からステップ１０まで従来通りである。
【００１６】
以上のように構成した冷蔵庫において、ドア開閉角度検知手段１４と、ドア開閉角度判定手段１５と、警告音インターバル時間設定手段１６から構成され、ドア開閉角度検知手段１４で検知したドア開閉角度をドア開閉角度判定手段１５が４５°以上（ドアが大きく開かれている）と判断すれば、警告音インターバル時間設定１６で警告音インターバル時間を２分に設定（短くする）機能を備えたので、冷蔵室の温度上昇が始まる前に警告できる。
【００１７】
（実施の形態２）
図３は、本発明の実施の形態２によるドア開放警告制御装置付き冷蔵庫のブロック図である。図４は、同実施の形態の動作を示すフローチャート図である。図３において、１７は外気温センサ１８より外気温度を検知する外気温検知手段である。１９は前記外気温検知手段１７が検知した外気温度を判断する外気温判定手段である。
【００１８】
本実施の形態は、実施の形態１によるドア開放警告制御装置にさらに外気温検知手段１７と外気温センサ１８と外気温判定手段１９を設けたものである。
【００１９】
以上のように構成されたドア開放警告制御装置について、以下その動作を説明する。
【００２０】
まず、ステップ１０１とステップ１０２は実施の形態１通りである。ステップ１０３でドア開閉判定手段１５が検出したドア開閉角度が４５°以上であるかを判断し、４５°以上であればドアが大きく開かれていると判断しステップ２０１に進み、４５°未満であればステップ２０５に進む。ステップ２０１で外気温度検知手段１７が外気温センサ１８より外気温度を検出し、ステップ２０２で外気温度判定手段１９が検出した外気温度が２５℃以上（高い）かどうかを判断し、２５℃以上であればステップ２０３で警告音インターバル時間設定手段１６が警告音インターバル時間を１分に設定し、２５℃未満であればステップ２０４で警告音インターバル時間設定手段１６が警告音インターバル時間を１．５分設定しステップ３に進む。また、ステップ２０５では外気温度検知手段１７が外気温センサ１８より外気温度を検出し、ステップ２０６で外気温度判定手段１９が検出した外気温度が２５℃以上（高い）かどうかを判断し、２５℃以上であればステップ２０７で警告音インターバル時間設定手段１６が警告音インターバル時間を２分に設定し、２５℃未満であればステップ２０７で警告音インターバル時間設定手段１６が警告音インターバル時間を３分設定しステップ３に進む。ステップ３からステップ１０まで実施の形態１通りである。
【００２１】
以上のように構成した冷蔵庫において、ドア開閉角度検知手段１４と、ドア開閉角度判定手段１５と、警告音インターバル時間設定手段１６と、外気温度検知手段１７と、外気温判定手段１９から構成され、ドア開閉角度検知手段１４で検知したドア開閉角度をドア開閉角度判定手段１５が４５°以上（ドアが大きく開かれている）と判断し、そして、外気温度検知手段１７で検知した外気温度が外気温判定手段１９で２５℃以上（高い）と判断すれば、警告音インターバル時間設定１６で警告音インターバル時間を１分に（短くする）設定する機能を備えたので、冷蔵室の温度上昇が始まる前に警告できる。
【産業上の利用可能性】
【００２２】
以上のように、本発明にかかる冷蔵庫は、適切なドア開放警告音のインターバル時間が設定でき、食品への温度上昇の影響を抑えることができ、冷蔵庫に限らず冷却機器全般に幅広く適用できる。
【図面の簡単な説明】
【００２３】
【図１】本発明による冷蔵庫の実施の形態１のブロック図
【図２】同実施の形態の冷蔵庫の動作を示すフローチャート
【図３】本発明による冷蔵庫の実施の形態２のブロック図
【図４】同実施の形態の冷蔵庫の動作を示すフローチャート
【図５】従来の冷蔵庫のブロック図
【図６】従来の冷蔵庫の動作を示すフローチャート
【符号の説明】
【００２４】
１    冷蔵庫本体
５    ヒンジ
９    警告音インターバルタイマ
１０    ドア警告音駆動手段
１２    警告音タイマ
１３    ドア開閉角度ボリューム
１４    ドア開閉検知手段
１５    ドア開閉判定手段
１６    警告音インターバル時間設定手段
【図１】
2005172301.tif 000003
【図２】
2005172301.tif 000004
【図３】
2005172301.tif 000005
【図４】
2005172301.tif 000006
【図５】
2005172301.tif 000007
【図６】
2005172301.tif 000008